(57)【要約】【課題】カラー／白黒を分離してそれぞれ別に出力する機能を有するカラー画像処理装置を提供する。【解決手段】原稿上の画像データを読み取る画像読み取り手段１と、読み取った画像データを処理する画像処理手段２と、処理した画像データを紙に出力する画像出力手段３と、ユーザーが処理方法を選択する操作入力手段４と、ユーザーに対して情報を表示する情報表示手段５と、各手段を制御するシステム制御手段６とを有する画像処理装置において、画像処理手段２は、カラー・白黒混在原稿１枚を、カラー部分を１枚に、白黒部分を別の１枚に編集する機能を有する。【選択図】      図１
2004159193.tif 000002
【特許請求の範囲】
【請求項１】
原稿上の画像データを読み取る画像読み取り手段と、読み取った画像データを処理する画像処理手段と、処理した画像データを紙に出力する画像出力手段と、ユーザーが処理方法を選択する操作入力手段と、ユーザーに対して情報を表示する情報表示手段と、各手段を制御するシステム制御手段とを有する画像処理装置において、画像処理手段は、カラー・白黒混在原稿１枚を、カラー部分を１枚に、白黒部分を別の１枚に編集する機能を有することを特徴とするカラー画像処理装置。
【請求項２】
請求項１のカラー画像処理装置において、操作入力手段は、カラー部分として分離する色を指定する機能を有することを特徴とするカラー画像処理装置。
【請求項３】
請求項２のカラー画像処理装置において、画像処理手段は、指定色部分を白黒に変換する機能を有することを特徴とするカラー画像処理装置。
【発明の詳細な説明】
【０００１】
【発明の属する技術分野】
本発明は、カラー複写機、カラープリンタなどのフルカラー画像処理装置に関するものである。
【０００２】
【従来の技術】
一般的にデジタルカラー複写機は、様々な編集機能を有している。例えば、片面原稿２枚を両面１枚に、左右見開原稿を片面２枚に、両面原稿１枚を片面原稿２枚に、片面原稿２枚１枚を見開き１枚に編集することができる。
【０００３】
【発明が解決しようとする課題】
ここで例えば、問題集である原稿において黒文字で問題、色文字で回答が記載されていた場合、問題と回答を別の紙にコピーできれば便利である。またある資料が本文中のキーワードのみ色文字で記載されていて、キーワードの記憶も含め資料の内容を理解したい場合に、キーワード抜きの紙とキーワードのみの紙に分割できれば便利である。
上記の如き出力を実現する場合、従来は数回の指定色コピーを実施しなければならなかった。しかしその場合、同じような操作を繰り返すことになり、特に複数色の文字が存在する場合は非効率的である。
本発明は、原稿画像中のカラー部分と白黒部分とを分離してそれぞれ別に出力する機能を有するカラー画像処理装置を提供することを目的とする。
【０００４】
【課題を解決するための手段】
上記目的を達成するために、請求項１記載の発明は、原稿上の画像データを読み取る画像読み取り手段と、読み取った画像データを処理する画像処理手段と、処理した画像データを紙に出力する画像出力手段と、ユーザーが処理方法を選択する操作入力手段と、ユーザーに対して情報を表示する情報表示手段と、各手段を制御するシステム制御手段とを有する画像処理装置において、画像処理手段は、カラー・白黒混在原稿１枚を、カラー部分を１枚に、白黒部分を別の１枚に編集する機能を有するカラー画像処理装置を最も主要な特徴とする。
請求項２記載の発明は、請求項１のカラー画像処理装置において、操作入力手段は、カラー部分として分離する色を指定する機能を有するカラー画像処理装置を主要な特徴とする。
請求項３記載の発明は、請求項２のカラー画像処理装置において、画像処理手段は、指定色部分を白黒に変換する機能を有するカラー画像処理装置を主要な特徴とする。
【０００５】
【発明の実施の形態】
以下、図面により本発明の実施の形態を詳細に説明する。図１は本発明の実施の形態に係るカラー画像処理装置のブロック構成図である。本カラー画像処理装置は、図１に示すように、原稿上の画像を読み取る画像読み取り部１と、読み取られた画像データに対して様々な画像処理をする画像処理部２と、画像処理された画像データにしたがって画像を出力する画像出力部３と、ユーザーが処理方法等を入力する操作入力部４と、ユーザーへの情報を出力する情報表示部５と、全体を制御するシステムコントローラ６と、からなる。
【０００６】
図２は図１に示す画像処理部の詳細機能ブロック図である。以下、その構成を動作と併せて説明する。図示するように、画像読み取り部１から入力されたＲＧＢの画像データは、スキャナγ部２１で反射率リニアから濃度リニアの画像データに変換される。濃度リニアに変換された画像データは、像域分離＆色判定＆ＡＣＳ部２２及びＲＧＢ平滑フィルタ部２３へ入力される。
ＲＧＢ平滑フィルタ部２３では、網点原稿等によるモアレを抑えるためのスムージング処理を行う。色補正部２４では、Ｒ（レッド）、Ｇ（グリーン）、Ｂ（ブルー）各色の画像データをそれらの補色であるＹ（イエロー）、Ｍ（マゼンタ）、Ｃ（シアン）の各色に変換する処理と、Ｙ、Ｍ、Ｃ各色を合成した画像データから黒成分を抽出してＫ（ブラック）信号を出力するとともに残りの色の画像データから黒成分を除去し、かつＹ、Ｍ、Ｃ成分を上乗せするＵＣＲ処理を行う。
セレクタ部２５では、システムコントローラ６からの情報に応じて、入力されるＹ、Ｍ、Ｃ、Ｋの色信号から一つの色信号を選択して出力する。プリンタγ部２６では、プリンタ特性に合わせて画像データを階調処理も含めて濃度リニアになるように補正する。階調処理部２７では、入力された８ビットの濃度情報を多値化または２値化等のディザ処理をして画像出力部３へ出力する。
像域分離＆色判定＆ＡＣＳ部２２は、入力された画像データが文字部であるか絵柄部であるかの判定、有彩色であるか無彩色であるかの判定、画像読み取り部１で読み込んだ原稿がカラー原稿であるか白黒原稿であるかの判定をする。文字・絵柄の判定と有彩・無彩の判定結果は１画素単位で後段の処理部へ出力される。また、ＡＣＳ判定（読込んだ原稿がカラー原稿か白黒原稿かの判定）結果はシステムコントローラ６に入力され、色信号選択用にセレクタ部２５へ出力される。
また、同期制御部２８では、像域分離・色判定結果がＲＧＢ平滑フィルタ部２３へ入力されるため、スキャナγ部２１から入力される画像データとの遅延調整等、各処理ブロック間の同期制御をする。符号２９はメモリ部である。
【０００７】
図３、図４は第１の画像処理例における情報表示部の表示例を示す図、図５は第１の画像処理例のイメージ図である。図３（ｂ）に示すように、情報表示部５に表示されているモードの中からカラー・白黒分離処理を操作入力部４から選択する。取り消しを選択するとカラー・白黒分離処理が解除され図３（ａ）の表示に戻る。
操作入力部４のコピースタートボタンを押下するとプレスキャンを実施し、像域分離＆色判定＆ＡＣＳ部２２にて原稿上にカラー画像が存在するかを確認する。カラー画像が存在しない場合には、図４に示すように、情報表示部５に原稿上にカラー画像がないことを表示する。中止を選択すると処理が中止され、図３（ａ）の表示に戻る。原稿を確認後、継続を選択すると再度プレスキャンを実施し、カラー画像が検出されると画像読み取り部１で画像が読み込まれる。
読み込まれた画像データは像域分離＆色判定＆ＡＣＳ部２２とＲＧＢ平滑フィルタ部２３経由で色補正部２４に入力される。色補正部２４では像域分離＆色判定＆ＡＣＳ部２２から画素単位で入力される文字・絵柄及び有彩・無彩判定結果から画像データの処理方法を決定する。その後、画像データは、プリンタγ部２６を経由し、必要に応じてメモリ部２９に書き込まれる。
まず１枚目に白黒部分の画像データを出力するために、Ｋのデータに関しては、プリンタγ部２６の出力を階調処理部２７経由で画像出力部３に出力する。次に、２枚目にカラー部分の画像データを出力するために、メモリ部２９からＣ、Ｍ、Ｙのデータを読み出し、階調処理部２７経由で画像出力部３に出力する。
【０００８】
図６は第２の画像処理例における情報表示部の表示例を示す図、図７は第２の画像処理例の処理内容を示す図、図８は第２の画像処理例のイメージ図である。図６（ａ）に示すように、情報表示部５に表示されているモードの中から指定色・白黒分離処理を操作入力部４から選択すると表示が図６（ｂ）に移行する。取り消しを選択すると図６（ａ）に戻り、色を選択すると図６（ｃ）に移行する。取り消しを選択すると図６（ｂ）に戻り、選択完了を選択すると図６（ｃ）に移行する。
操作入力部４のコピーボタンを押下するとプレスキャンを実施し、第１の画像処理例と同様にカラー画像有無の確認処理が実施される。その後、画像読み取り部１で画像が読み込まれる。読み込まれた画像データは像域分離＆色判定＆ＡＣＳ部２２とＲＧＢ平滑フィルタ部２３経由で色補正部２４に入力される。以下、分離指定色にＲが選択された場合の処理を説明する。
図７に示すように、色補正部２４でＲＧＢから変換されたＣＭＹＫデータが（ａ）のようになっているとすると、（ｂ）、（ｃ）に示すようにＲ以外のカラーデータはＫに変換してプリンタγ部２６を経由して、必要に応じてメモリ部２９に書き込まれる。
まず１枚目に指定色以外の画像データを白黒で出力するために、Ｋのデータに関しては、プリンタγ部２６の出力を階調処理部２７経由で画像出力部３に出力する。次に、２枚目に指定色の画像データを出力するために、メモリ部２９からＣ、Ｍ、Ｙのデータを読み出し、階調処理部２７経由で画像出力部３に出力する。
【０００９】
図９、図１０は第３の画像処理例における情報表示部の表示例を示す図、図１１、図１２は第３の画像処理例の処理内容を示す図、図１３、図１４は第３の画像処理例のイメージ図である。カラー・白黒分離（白黒変換）処理のモード選択方法を図９に、指定色・白黒分離（白黒変換）処理のモード選択方法を図１０に示す。選択処理の詳細については、それぞれ第１、第２の画像処理例と同様なので省略する。
まず、カラー・白黒分離（白黒変換）処理について説明する。画像読み取り部で読み込まれた画像データは像域分離＆色判定＆ＡＣＳ部２２とＲＧＢ平滑フィルタ部２３経由で色補正部２４に入力される。
図１１に示すように、色補正部２４でＲＧＢから変換されたＣＭＹＫデータが（ａ）のようになっているとすると、（ｂ）に示すように、Ｃ、Ｍ、Ｙのうち一番濃度レベルの低いＣについてはそのまま、Ｃより濃度レベルの高いＹについては、Ｃの濃度レベルとの差分を引き、Ｃと同じ濃度レベルでプリンタγ部２６を経由し、必要に応じてメモリ部２９に書き込まれる。色補正部２４でＲＧＢから変換されたＣＭＹＫデータが（ｃ）のようになっているとすると、Ｙ、Ｍについては、そのままの濃度レベルでプリンタγ部２６を経由し、必要に応じてメモリ部２９に書き込まれる。
１枚目に白黒部分の画像データを出力するために、Ｋのデータに関してはプリンタγ部２６の出力を階調処理部２７経由で画像出力部３に出力する。次に、２枚目にカラー部分の画像データを白黒で出力するために、メモリ部２９からＣ、Ｍ、Ｙのデータを読み出し、階調処理部２７経由で画像出力部３に出力する（図１３のイメージ図参照。）。
【００１０】
次に、指定色・白黒分離（白黒変換）処理で指定色をＲとしたケースについて説明する。画像読み取り部１で読み込まれた画像データは像域分離＆色判定＆ＡＣＳ部２２とＲＧＢ平滑フィルタ部２３経由で色補正部２４に入力される。
図１２に示すように、色補正部２４でＲＧＢから変換されたＣＭＹＫデータが（ａ）のようにＲ以外の色であるとすると、（ｂ）に示すように、存在するＣＭＹのうち一番濃度レベルの低いＣと同じ濃度レベルのＫを生成する。その際、一番濃度レベルの低いＣについてはそのまま、Ｃより濃度レベルの高いＹについては、Ｃの濃度レベルとの差分を引き、Ｃと同じ濃度レベルでプリンタγ部２６を経由し、必要に応じてメモリ部２９に書き込まれる。
色補正部２４でＲＧＢから変換されたＣＭＹＫデータが（ｃ）のようにＲであるとすると、（ｄ）に示すように、Ｙ、Ｍについては、そのままの濃度レベルでプリンタγ部２６を経由し、必要に応じてメモリ部２９に書き込まれる。
１枚目に指定色以外の部分の画像データを白黒出力するために、Ｋのデータに関してはプリンタγ部２６の出力を階調処理部２７経由で画像出力部３に出力する。次に、２枚目に指定色部分の画像データを白黒で出力するために、メモリ部２９からＣ、Ｍ、Ｙのデータを読み出し、階調処理部２７経由で画像出力部３に出力する（図１４のイメージ図参照）。
【００１１】
【発明の効果】
以上説明したように、請求項１によれば、例えば、操作入力部からカラー・白黒分離モードを選択するだけで、カラー・白黒混在原稿１枚を、カラー部分を１枚に、白黒部分を別の１枚に編集することが可能となる。
請求項２によれば、操作入力部から指定色・白黒分離モードを選択するだけで、カラー・白黒混在原稿１枚を、指定色部分を１枚に、指定色以外の部分を白黒で別の１枚に編集することができる。
請求項３によれば、操作入力部からカラー・白黒分離モード（白黒変換）もしくは指定色・白黒分離モード（白黒変換）を選択するだけで、カラー・白黒混在原稿１枚を、カラー及び指定色部分を白黒で１枚に、指定色以外の部分及び白黒部分を白黒で別の１枚に編集することが可能になる。
従って、本発明によれば、例えば、学習等のための問題集を原稿としてコピーする場合に、当該問題集が色分け編集されている場合、例えば、黒文字で問題、色文字で回答が記載されていた場合、問題と回答を別々の紙にコピーすることができるので、学習する上で便利である。また、ある資料が本文中のキーワードのみ色文字で記載されていて、キーワードの記憶も含め資料の内容を理解したい場合に、キーワード抜きの紙とキーワードのみの紙に分割できるので便利である。
【図面の簡単な説明】
【図１】本発明の実施の形態に係るカラー画像処理装置のブロック構成図である。
【図２】図１に示す画像処理部の詳細機能ブロック図である。
【図３】第１の画像処理例における情報表示部の表示例を示す図である。
【図４】第１の画像処理例における情報表示部の表示例を示す図である。
【図５】第１の画像処理例のイメージ図である。
【図６】第２の画像処理例における情報表示部の表示例を示す図である。
【図７】第２の画像処理例の処理内容を示す図である。
【図８】第２の画像処理例のイメージ図である。
【図９】第３の画像処理例における情報表示部の表示例を示す図である。
【図１０】第３の画像処理例における情報表示部の表示例を示す図である。
【図１１】第３の画像処理例の処理内容を示す図である。
【図１２】第３の画像処理例の処理内容を示す図である。
【図１３】第３の画像処理例のイメージ図である。
【図１４】第３の画像処理例のイメージ図である。
【符号の説明】
１  画像読み取り部（画像読み取り手段）
２  画像処理部（画像処理手段）
３  画像出力部（画像出力手段）
４  操作入力部（操作入力手段）
５  情報表示部（情報表示手段）
６  システムコントローラ（システム制御手段）
【図１】
2004159193.tif 000003
【図２】
2004159193.tif 000004
【図３】
2004159193.tif 000005
【図４】
2004159193.tif 000006
【図５】
2004159193.tif 000007
【図６】
2004159193.tif 000008
【図７】
2004159193.tif 000009
【図８】
2004159193.tif 000010
【図９】
2004159193.tif 000011
【図１０】
2004159193.tif 000012
【図１１】
2004159193.tif 000013
【図１２】
2004159193.tif 000014
【図１３】
2004159193.tif 000015
【図１４】
2004159193.tif 000016